Podtech/llm-jp-corpus-v4-ja_patent huggingface dataset:
(57)【要約】      （修正有）【課題】通りかかった人が転んで区枠壁上に手足や腰などをついたりしても安全が確保されるようにしたブロック積式あるいはコンクリート壁式低区枠壁の構造を提供する。【解決手段】ブロック１を積み重ねたりコンクリートを打設することで形成される低区枠壁の上層部分にはゴムや発泡樹脂などの軟質緩衝材３が設けられている。【選択図】図１
0003218546.tif 000002
【実用新案登録請求の範囲】
【請求項１】
ブロックを積み重ねたりコンクリートを打設することで形成される低区枠壁の上層部分にはゴムや発泡樹脂などの軟質緩衝材が設けられているブロック積式あるいはコンクリート壁式低区枠壁の構造。
【考案の詳細な説明】
【技術分野】
【０００１】  本考案は、ブロック積式あるいはコンクリート壁式低区枠壁の構造に関する。
【背景技術】
【０００２】  道路沿いや公園、あるいは学校などには、ブロック積式やコンクリート壁式の低区枠壁が設けられており、この区枠壁は上からみて円形や矩形の花壇とされたりする。
【先行技術文献】
【特許文献】
【０００３】
【特許文献１】
【考案の概要】
【考案が解決しようとする課題】
【０００４】  こうした区枠壁は、一般的に、その上端縁などの角が鋭いままにされているため、転んだ人がそこに手足や腰あたりが当たると怪我をして危険であった。【０００５】  本考案は、こうした問題を解決しようとするものであり、通りかかった人が転んで区枠壁上に手足や腰などをついたりしても安全が確保されるようにしたブロック積式あるいはコンクリート壁式低区枠壁の構造を提供することを目的とする。
【課題を解決するための手段】
【０００６】  本考案は上記目的を達成するため、請求項１に記載の考案は、ブロックを積み重ねたりコンクリートを打設することで形成される低区枠壁の上層部分にはゴムや発泡樹脂などの軟質緩衝材が設けられている。
【考案の効果】
【０００７】  上述したように請求項１に記載の考案は、ブロックを積み重ねたりコンクリートを打設することで形成される低区枠壁の上層部分にはゴムや発泡樹脂などの軟質緩衝材が設けられているので、通りかかった人が転んで区枠壁上に手足や腰などをついたりしても安全が確保されるようにしたブロック積式あるいはコンクリート壁式低区枠壁の構造を提供することができる。
【図面の簡単な説明】
【０００８】
【図１】  本考案の一実施形態を示す正面図。
【図２】  図１のＩＩ−ＩＩ線拡大断面図。
【図３】  他の実施形態を示す断面図。
【図４】  他の実施形態を示す断面図。
【図５】  他の実施形態を示す断面図。
【考案を実施するための形態】
【０００９】  以下、本考案であるブロック積式あるいはコンクリート壁式低区枠壁の構造についての一実施形態を図１および図２に基づいて説明する。
これらの図において、１は花壇の一部を示す本体ブロックで、コンクリートあるいはレンガ製で接合剤２…で５０〜８０ｃｍと低く形成されている。その上層部分としてゴムや発泡樹脂などの軟質の緩衝ブロック（緩衝材）３…が接合剤２を介して水平に配列されている。本体ブロック１はピンコロ石などの石材であってもよい。
【００１０】  各緩衝ブロック３には凹孔５…が形成されるとともに凹孔５の底から本体ブロック１までにも届く通孔６が形成されている。通孔６には芯棒打込式のアンカー７が打ち込まれて緩衝ブロック３…を本体ブロック１側に固定してある。８は閉塞材で、モルタルやシリコン樹脂あるいはゴム剤などが使われる。
【００１１】  図３は他の実施形態を示すもので、閉塞材８がゴムあるいは樹脂キャップ型のもので凹孔５内に脱着可能に嵌め込まれるようになっている。
【００１２】  図４は他の実施形態を示すもので、本体ブロック１とその上の緩衝ブロック３とが山型台形をしていて駐車場の車止めなどに使われているものとされ、閉塞材８はキャップ式とされているが、図２のように埋着式にしてもよい。
本体ブロック１と緩衝ブロック３とは図４の右欄に示すような矩形断面をした直下型のものであってもよいし、アンカー７はケミカルアンカー型のものにしてもよい。
【００１３】  図５は他の実施形態を示すもので、本体ブロック１とその上の緩衝ブロック３とが斜めタイヤ受面１０，１１を有する車止め型のものとされ、本体ブロック１がコンクリート式で上層部分がゴムなどの緩衝ブロック３でなるものとされている。
【符号の説明】
【００１４】  １…本体ブロック  ２…接合剤  ３…緩衝ブロック（緩衝材）  ５…凹孔  ６…通孔  ７…アンカー  ８…閉塞材  １０，１１…斜めタイヤ受面。
【図１】
0003218546.tif 000003
【図２】
0003218546.tif 000004
【図３】
0003218546.tif 000005
【図４】
0003218546.tif 000006
【図５】
0003218546.tif 000007
(57)【要約】【課題】本考案は、手指又は肩の不自由な方が下から容易に着脱することのできる肌着を提供する。【解決手段】本考案の肌着１は、伸縮性布地から形成された肌着本体２の首周り部３に伸縮性の高い構成部材を少なくとも縫合によって貼り付けることにより、下から穿く際に肩まで引き上げ又は引き下げることが可能となり、容易に着脱することのできるものである。【選択図】図１
0003218062.tif 000002
【実用新案登録請求の範囲】
【請求項１】
伸縮性布地から形成された首部を有する肌着の首周り部に伸縮性の高い構成部材を縫合又は接着により固着させ、伸長時の全周首周り部が７０〜１００ｃｍであることを特徴とする肌着。
【考案の詳細な説明】
【技術分野】
【０００１】  本発明は、リウマチ性疾患及び脳血管障害の後遺症等又は肩関節の痛みなどにより手指や肩に硬縮が見られる方や筋力低下を来す症状を有する方、高齢者の方など肌着の着装に不便を来す方の更衣を容易にする肌着に関する。
【背景技術】
【０００２】  リウマチ性疾患及び脳血管障害の後遺症等又は肩関節の痛みなどにより手指や肩に硬縮が見られる方や筋力低下を来す症状を有する方、高齢者の方などは肌着の着装に大変不便を感じている。介護用肌着として介護者の更衣・着脱を容易にする肌着は従来から様々なタイプが創案、販売されているが腕又は肩を上げないと着装できないものやボタンやマジックテープなど手指の動作を必要とするものが多く、上から肌着を被って着装するものではひとりで着ることが困難であるという問題点があった。
【考案の概要】
【考案が解決しようとする課題】
【０００３】  本考案は、生地と首周りに伸縮性のある部材を用い、下から穿くことにより腕又は肩を上げず、さらに手指の動作も必要とすることなく容易に着衣できる肌着を提供することにある。
【課題を解決するための手段】
【０００４】    本考案は、伸縮性布地から形成された首部を有する肌着の首周り部に伸縮性の高い構成部材を縫合又は接着により固着させ、伸長時の全周首周り部が７０〜１００ｃｍであることを特徴とする肌着である。肌着本体は伸縮性布地から形成されており、その首周り部に伸縮性の高い構成部材を縫合又は接着により固着させる。伸縮性の高い構成部材としては綿、化学繊維、ポリウレタン繊維、ゴム、テープ等を有する部材であって、伸長時の全周首周り部が７０〜１００ｃｍであることに特徴がある。この場合、首周りの直径が成人女性の場合において２０〜２５ｃｍとし、伸長時の全周首周り部が７０〜１００ｃｍとすることにより、肌着を下から穿くことが可能となる。必要な伸長時の伸び率は、約１７５〜２１０％である。【０００５】    これによって、首周りの伸縮を保つことが可能な構成部材を用いることにより下から穿く際に首周りに手または腕を引っかけることにより、肌着本体の引き上げを容易に行うことができるものであり、着装完了時には首周りの伸縮が復元される為、デザイン性及び機能性、快適性を両立することができるものである。
構成部材は、ポリウレタン９．６％・ナイロン９０．４％の混率の織物で構成される。伸縮性のあるポリウレタンを混ぜることにより高い伸縮が復元されている。【０００６】  また、本考案によれば、肌着本体の生地は綿、化学繊維、ポリウレタン繊維等を使用し、加えて編地等の伸縮性が高い生地を使用することが好ましい。
女性用の肌着の場合、カップ付きであってもよい。
【考案の効果】
【０００７】  本考案は、肌着本体の生地及び首周りに復元性の高い伸縮部材を用いることにより、下からの着装時における引き上げを容易にし、リウマチ性疾患等の羅患による手指の硬縮、末梢筋力の低下を来す方等の手指や肩等に不自由を感じている子供から大人までが自分で着脱できるようになるものである。【０００８】  将来的にリウマチ性疾患等の病態や症状が進行し、自身での着脱行為が難しくなった際には、介護者が利用しても着脱が容易であり、介護者の負担軽減を可能にすることができるものである。
【図面の簡単な説明】
【０００９】
【図１】本実施形態に係る肌着の正面図である。
【図２】本実施形態に係る肌着首周りの正面図である。
【考案を実施するための形態】
【００１０】  本実施形態に係る肌着を下から着装する際及び下に脱衣する際に肌着本体の首周り部を引き上げまたは引き下げることにより、肌着の着脱が容易となるものである。
【実施例】
【００１１】  以下、本考案の実施例について、図面により説明する。【００１２】  本実施形態に係る肌着１は、綿１００％からなる静置幅が４２ｃｍ、身丈６０ｃｍで首周り部の静置幅が２１ｃｍであり、構成部材としてはポリウレタン・ナイロンから構成され、最大伸長率が１８０％であった。この構成部材をミシンにて肌着の首周り部に縫合させて肌着とした。この肌着は、下から着装する際及び下に脱衣する際に肌着本体２の首周り部３を引き上げまたは引き下げることにより、肌着の着脱が容易となるものであった。
【符号の説明】
【００１３】  １  肌着
２  肌着本体
３  首周り部
４  首周り伸縮部材
５  生地
【図１】
0003218062.tif 000003
【図２】
0003218062.tif 000004
(57)【要約】      （修正有）【課題】気体吸入時のストローの落下の防止と気体吸入量の調整を行える気体吸入安全孔本体を提供する。【解決手段】水素精製容器１に蓋板２を設置し、その上に気体吸入安全孔本体３を置きストロー４を、挿入する。気体吸入安全孔本体の内部に２段構成の貫通穴を設け、上段の貫通穴をストローの直径より大きくし、下段の貫通穴をストローの直径より小さくすることにより、ストローの落下を防止する。また、気体吸入安全孔本体の角度を調整する事により蓋板の穴と気体吸入安全孔本体の貫通穴の間の隙間が狭まり、気体の吸入量を自在に調整できる。【選択図】図１
0003218027.tif 000002
【実用新案登録請求の範囲】
【請求項１】
球体の内部構造に２段構成の貫通穴を設け、上段の貫通穴をストローの直径より大きくし、下段の貫通穴をストローの直径より小さくすることにより、ストローが貫通穴の上段で止まり、貫通穴を通過しきる事を防止するところを特徴とする気体吸入に特化した気体吸入安全孔
【請求項２】
球体の角度を調整する事により気体の吸入量を調整する事ができるところを特徴とする
【請求項３】
球体を乗せる蓋板は、球体の直径より若干小さくし、水素精製容器への落下を防止をおこなえるところを特徴とする
【考案の詳細な説明】
【０００１】  本考案は、球体に２段構造の貫通穴を設けた、気体吸入安全孔に関するものである。
【背景技術】
【０００２】  腸の内容物と反応して水素が消費されてしまう水素水よりも、直接的に水素が吸収される水素吸入器は、はるかに効率よく水素が吸収できる点で、水素吸収を求める人々にとってその期待に十全に応えてくれる装置である。しかし、既存の水素吸入器は無機的な機械の外観を呈しており、水素を吸入する際の審美的喜びが鎖されている。そこで、効率よく水素を吸収できるだけではなく、さらには審美的な喜びを提供するべく、水素を吸入する際の安全構造を備えた装置を開発することを思い立った。
【考案の概要】
【考案が解決しようとする課題】
【０００３】  水素を精製した際に、ストローを用いて効率よく水素を吸入する場合、精製に用いた水へのストローの落下を防ぐとともに、吸入する水素量の調整が必要となる。従って、気体吸入安全孔を二段構成にする事により、ストローの落下を防ぐとともに、球体であるため、角度を調整する事により吸入量の調整が可能になり、前述の欠点を解決しようとするものである。
【課題を解決するための手段】
【０００４】  本考案は、気体吸入安全孔を二段構成の貫通孔にする事により、ストローの落下を防ぐとともに、球体であるため、吸入角度を調整する事により吸入量の調整が簡易に行えることにより問題点を解決している。
【考案の効果】
【０００５】  前述の様に、本考案の気体吸入安全孔は、安全に利用できることは勿論、使用者の加減により吸入する気体量を調整する事ができる。
【図面の簡単な説明】
【０００６】
【図１】本考案の気体吸入安全孔の一実施例を示す正面図である。
【図２】本安全孔の一部切断図である。
【考案を実施するための形態】
【０００７】  球体の貫通穴の広い方にストローを挿し、球体より若干小さい穴の開いた蓋を容器に設置し、その上に球体を置く。容器の中で水素を精製し、球体の角度を調整する事により気体の吸入量の調整が自在となる。
【実施例】
【０００８】  以下、添付図面に従って一実施例を説明する。Ｉは耐久性のアクリル等適宜素材にて形成された容器、２は本考案の気体吸入安全孔を設置する耐久性のアクリル等適宜素材にて形成された台座。３は本考案の気体吸入安全孔本体。Ｉの上に２を設置し、その上に３を置いて４を挿入して使用する。
【符号の説明】
【０００９】  Ｉ  水素精製容器
２  蓋板
３  気体吸入安全孔本体
４  ストロー
【図１】
0003218027.tif 000003
【図２】
0003218027.tif 000004
【手続補正書】
【提出日】平成30年3月7日(2018.3.7)
【手続補正１】
【補正対象書類名】実用新案登録請求の範囲
【補正対象項目名】全文
【補正方法】変更
【補正の内容】
【実用新案登録請求の範囲】
【請求項１】
気体吸入安全孔全体の内部構造に２段構成の貫通穴を設け、上段の貫通穴をストローの直径より大きくし、下段の貫通穴をストローの直径より小さくすることにより、ストローが貫通穴の上段で止まり、貫通穴を通過しきる事を防止するところを特徴とする気体吸入に特化した気体吸入安全孔全体
【請求項２】
気体吸入安全孔全体の角度を調整する事により蓋板の穴と気体吸入安全孔全体の内部構造にある２段構成の貫通穴の間の隙間が狭まり、気体生成容器で生成された気体の吸入量を自在に調整する事ができるところを特徴とする請求項１記載の気体吸入安全孔本体
【請求項３】
気体吸入安全孔本体は、気体生成容器の蓋板の穴より大きいため、気体生成容器内へ気体吸入安全孔本体が落下することを防止できるところを特徴とする請求項１記載の気体吸入安全孔本体
【手続補正３】
【補正対象書類名】明細書
【補正対象項目名】０００９
【補正方法】変更
【補正の内容】
【０００９】  １  気体生成容器
２  蓋板
３  気体吸入安全孔本体
４  ストロー
【手続補正書】
【提出日】平成30年6月30日(2018.6.30)
【手続補正１】
【補正対象書類名】実用新案登録請求の範囲
【補正対象項目名】全文
【補正方法】変更
【補正の内容】
【実用新案登録請求の範囲】
【請求項１】
気体吸入安全孔本体の内部構造に２段構成の貫通穴を設け、上段の貫通穴をストローの直径より大きくし、下段の貫通穴をストローの直径より小さくすることにより、ストローが貫通穴の上段で止まり、貫通穴を通過しきる事を防止するところを特徴とする気体吸入に特化した気体吸入安全孔本体。
【請求項２】
気体吸入安全孔本体の角度を調整する事により蓋板の穴と気体吸入安全孔本体の内部構造にある２段構成の貫通穴の間の隙間が狭まり、気体生成容器で生成された気体の吸入量を自在に調整する事ができるところを特徴とする請求項１記載の気体吸入安全孔本体。
【請求項３】
気体吸入安全孔本体は、気体生成容器の蓋板の穴より大きいため、気体生成容器内へ気体吸入安全孔本体が落下することを防止できるところを特徴とする請求項１記載の気体吸入安全孔本体。
(57)【要約】      （修正有）【課題】肛門括約筋に直接的に刺激を与えることで、肛門括約筋、及び、骨盤底筋の衰えを予防する健康器具を提供する。【解決手段】半球体を円盤状の基台に連結した健康器具であり、使用時の安定性を図り、且、球面部分がお尻に挟まれ、包み込まれることで、肛門括約筋の円滑な引き締め運動が、阻害されることなく出来るため次第に鍛わり、尿漏れ予防に役立つ。【選択図】図７
0003218030.tif 000002
【実用新案登録請求の範囲】
【請求項１】
お尻を乗せることで肛門括約筋を刺激する半球（Ａ）を備え、半球（Ａ）は、円盤状の基台（Ｃ）に連結されていることを特徴とする健康機器。
【請求項２】
半球物の寸法を変えた形状や、類似した形状の半球（Ｂ）を備え、半球（Ｂ）は、円盤状の基台（Ｃ）に連結されていることを特徴とする健康機器。
【考案の詳細な説明】
【技術分野】
【０００１】本考案は、加齢に伴う骨盤底筋群の衰えを予防するために、肛門括約筋の鍛錬を目的に考案した健康器具である。
【背景技術】
【０００２】閉経後の女性の約３人に１人が悩むという“尿漏れ”。
今は全く症状がない人でも、閉経後に尿漏れに悩まされる可能性がある。
例えば、咳やくしゃみをするだけで尿が漏れると、日常生活において大きな支障となる。男性においても高齢者になると尿漏れを経験している人が多い。
誰にも起こるこれらの現象は、膀胱（ぼうこう）の筋肉が、加齢に伴い衰えていることが大きな原因である。
膀胱は、本来風船のように柔らかで、尿をためて、勢いよく出し切るのが仕事。
ところが、歳と共に筋肉が固くなりその仕事がおろそかになるため、頻尿や尿漏れ、残尿感など様々な症状を引き起こす。
お尻を締め、肛門括約筋を鍛えると、上位筋肉組織である「骨盤底筋（※ａ１）」を刺激（連動し起こる筋力振動）することで、骨盤底筋が膀胱を包み込むように発達する。衰えた膀胱の筋肉動性を補助することで膀胱が補完され、尿道もしっかりと機能し、下半身周りの悩みが改善される。
このような効果を得るため、「尻締め運動」が盛んである。
（※ａ１）骨盤底筋とは…
恥骨と尾骨の間に広がるひし形をした筋肉の集まり。自転車に乗る時、サド            ルにあたる部分が骨盤底筋。
【先行技術文献】
【特許文献】
【特許文献】なし
【非特許文献】
【０００３】
【非特許文献１】「日本文芸社  船瀬俊介著作  元気になりたきゃ、お尻をしめなさい」，２０１７年，ｐ．６８−６９
【考案の概容】
【考案が解決しようとする課題】
【０００４】「尻締め運動」とは通常、立位でお尻の筋肉を内側に締める運動ですが、骨盤底筋には直接連動するものの、肛門括約筋にまで加重負荷を与えることが出来ないため、どの程度の力をお尻にかけたら肛門括約筋を鍛えることができるのかが分からない運動となっている。
【課題を解決するための手段】
【０００５】上記課題を解決するために、半球の上に、直接座る形態を採用した。
肛門括約筋が半球に覆いかぶさる形となるため、座るだけで直接的に肛門括約筋を刺激し、また、肛門を締めることで、お尻が半球をつまみあげる動作となり、お尻を締めている手応えを直接感じることが出来る。
【考案の効果】
【０００６】以上の説明から明らかなように、肛門を締めるという行為にやる気が出る。肛門周辺の筋肉である肛門括約筋を積極的に動かすことになり、女性の場合は膣の筋肉、男性の場合は前立腺と、それぞれ連動しているので、女性がお尻を締めると膣が締まり、男性は前立腺に刺激が加わります。
そのため、婦人科の疾患のある女性や、前立腺肥大のある男性がお尻締めを行うと、特に“尿漏れ”に対しては、症状の改善が期待できる。
【考案を実施するための最良の形態】
【０００７】半球の真上にお尻の穴を乗せ、お尻側にせり上がってきた半球をお尻の穴でつかむようにキュッと締める。
【実施例】
【０００８】椅子の座位部分に、肛門括約筋刺激用健康器具を置き、その上に座る。［図７］【０００９】平面状態の畳・床に、肛門括約筋刺激用健康器具を置き、その上に座る。［図８］
【産業上の利用可能性】
【００１０】本考案は、肛門括約筋刺激用健康器具を製造する産業と肛門括約筋刺激用健康器具を利用した運動を実践する健康産業分野で利用される。
【図面の簡単な説明】
【００１１】
【図１】肛門括約筋刺激用健康器具の全体図
【図２】半球と連結する円盤状の基台
【図３】半球
【図４】半球と円盤状の基台との位置関係と連結の仕方
【図５】半球と円盤状の基台が連結した完成図
【図６】本考案で指す「半球」とは、Ａより寸法が短いＢも半球の範囲とする図
【図７】肛門括約筋刺激用健康器具を椅子で使用した図
【図８】肛門括約筋刺激用健康器具を平坦面で使用した図
【符号の説明】
【００１２】Ａ      半球
Ｂ      Ａより高さ寸法の短い半球
ｈ‐１  Ａからカットした幅部分
ｈ‐２  Ａからｈ‐１を取り除いた高さ寸法部分
ｈ‐３  ｈ‐１＋ｈ‐２＝ｈ‐３（Ａの高さ）
【図１】
0003218030.tif 000003
【図２】
0003218030.tif 000004
【図３】
0003218030.tif 000005
【図４】
0003218030.tif 000006
【図５】
0003218030.tif 000007
【図６】
0003218030.tif 000008
【図７】
0003218030.tif 000009
【図８】
0003218030.tif 000010
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
お尻を乗せることで肛門括約筋を刺激する半球（Ａ）を備え、半球（Ａ）は、円盤状の基台（Ｃ）に連結されていることを特徴とする健康機器。
【請求項２】
半球物（Ａ）の高さ（ｈ）寸法を低くした形状（Ｂ）が、円盤状の基台（Ｃ）に連結されていることを特徴とする健康機器。
(57)【要約】      （修正有）【課題】シャフトの後方落下から補助員やほかの練習者の安全を確保できる省スペースのセーフティーポールを提供する。【解決手段】地面と水平に設置されたセーフティーバーの後端に垂直に１メートル、セーフティーポールを取り付ける。セーフティーポールは、長さ１メートルのＬ字金物に、直径５ミリのボルト孔をＬ字金物の端５〜１５センチの部位に複数個有する。【選択図】図１
0003218026.tif 000002
【実用新案登録請求の範囲】
【請求項１】
シャフトとウエイトがラック後方に落下することを防ぐセーフティーポール
【考案の詳細な説明】
【技術分野】
【０００１】      スクワット及びベンチプレストレーニング時にスムースなトレーニングを実施するため  専用のラックが使用されている
【背景技術】
【０００２】      安全のためにセーフティーバーを越えてシャフトがラック後方外部に落下することを防ぐため  セーフティーバーの全長を延長して対処していた。
しかしながら、こう方法ではラックの全長が長くならざるを得ず、スペースに多くの場合制限のあるわが国のトレーニングジムにおいて設置は困難であった。
【考案の概要】
【考案が解決しようとする課題】
【０００３】    従来のセーフティーバーは、垂直方向に落下するシャフトを練習者の身体の上に直接落下することを防ぐために考案されている。しかしながら、主にスクワット種目において  練習者がバランスを失い  後方にバーを落とした時  セーフティーバーの後端を超えて直接  床または地面に落下するケースが見られる。この時  練習者にとって危険であることは論を待たないが  むしろ後ろで補助をする補助者また  待機をしているほかの練習者の足を直撃する危険性が大きい。
【課題を解決するための手段】
【０００４】本発明は、シャフトの後方への移動を制限することにより  落下をセーフティーバーの範疇に収め  よって安全を確保するものである。
【考案の効果】
【０００５】本発明により  スペースに制限の多いわが国のトレーニング環境においても安全にスクワット及びラックを使用するその他のトレーニング種目の安全性を確保するものである。
【図面の簡単な説明】
【０００６】
【図１】    セーフティーポールとセーフティーバー
【図２】    セーフティーポール
【考案を実施するための形態】
【０００７】    地面と水平に設置されたセーフティーバーの後端から垂直に１メートル、セーフティーポールを設置する
【実施例】
【０００８】２０１１年１２月５日兵庫県神戸市で行われた  アジアパワーリフティング選手権大会で出場選手が試技中にバランスを失いシャフトが後方落下し後ろで補助をしていた日本人補助員が片足の甲に開放骨折の重傷を負った。その後、考案者の経営するトレーニングジムにおいて同じく大会中にバランスを失う選手がいて  シャフトが後方落下した  あらかじめテストとして設置されていたセーフティーポールによって事なきを得た
【産業上の利用可能性】
【０００９】わが国では、トレーニングスペースに制限のあるジムが大半であり練習者のすぐそばで次の練習者が待機していることが多い。この次の練習者の安全を確保するべきスペースがわずかでも縮小されるのならトレーニングジムの経営効率の向上に寄与できる。
【図１】
0003218026.tif 000003
【図２】
0003218026.tif 000004
【手続補正書】
【提出日】平成29年12月28日(2017.12.28)
【手続補正１】
【補正対象書類名】実用新案登録請求の範囲
【補正対象項目名】全文
【補正方法】変更
【補正の内容】
【実用新案登録請求の範囲】
【請求項１】
長さ１メートルのＬ字金物に、直径５ミリのボルト孔をＬ字金物の端５〜１５センチの部位に複数個、開けたもの。本発明を、セーフティバーに取り付けることでシャフトとウエイトの後方落下を防ぐ。
【手続補正書】
【提出日】平成30年6月28日(2018.6.28)
【手続補正１】
【補正対象書類名】実用新案登録請求の範囲
【補正対象項目名】全文
【補正方法】変更
【補正の内容】
【実用新案登録請求の範囲】
【請求項１】
セーフティーバーに取り付けることでシャフトとウエイトの後方落下を防ぐセーフティーポールであって、長さ１メートルのＬ字金物に、直径５ミリのボルト孔をＬ字金物の端５〜１５センチの部位に複数個、開けたことを特徴とするセーフティーポール。
(57)【要約】      （修正有）【課題】アクセルとブレーキペダルの踏み違いによる暴走を防止できる、踵位置決めストッパーを提供する。【解決手段】靴の踵とブレーキペダルの中心線をほぼ一致する位置にすべく、フロアーマット上の靴の踵の右側に略四角形状の踵位置決めストッパーを貼り付ける。運転中でも踵がストッパーに接して定位置にあることが確認出来る。踵位置決めストッパーは板状のスポンジまたはゴムをフロアーマットに接着、又は個人差に合わせてストッパー位置を調整するために面ファスナーで貼り付けるのが好ましい。【選択図】図２
0003218028.tif 000002
【実用新案登録請求の範囲】
【請求項１】
ブレーキペダル中心付近に置いた靴のかがとがアクセルペダルのある右側に無意識のうちにずれない様に、かがとの右側移動をガードする目的でかがと位置決めストッパーをフロアーマットに貼り付ける。
［図１］［図２］に示します。
【考案の詳細な説明】
【技術分野】
【０００１】本考案は、自動車運転時のブレーキとアクセル踏み違い暴走防止を目的とする。
運転者は、ある日、靴のかがと位置が通常の位置より無意識に右にずれていても全く気がつかず、ブレーキ動作でアクセルを踏み違えて暴走するか又はアクセルとブレーキペダル両方を同時に踏みこみ、止まらない車にパニック状態で衝突事故を起こします。
【背景技術】
【０００２】最近の自動車はカメラ、紫外線センサー等で、自動ブレーキを動作させ衝突防止をやっておりまが、スピード低と衝突回避ハンドル操作時には自動ブレーキ解除になるので、結局パニック状態で衝突事故を起こす欠陥があります。
【課題を解決解決するための手段】
【０００３】前述の暴走発生時に対応する自動ブレーキは衝突防止に完璧な装置ではなく、開発途上のものであります。
本考案は暴走させない事前対策であります。足位置がブレーキ優先、アクセルはゆっくり作動させる考案であります。
【考案の効果】
【０００４】自動車のブレーキは強弱自在に踏む力を加減できなければならないので靴のかがととブレーキペダルの中心線をほぼ一致する位置にする。かがとが右側移動を止めるストッパーが必要になります。常に同じ位置にかがとがある事を意識しながらブレーキが踏めるブレーキ優先の安心感がある。
アクセルはかがとを基点にして靴をアクセルペダルに振る。アクセルは強く踏む必要なく、じわっと軽く踏めばよい。
【図面の簡単な説明】
【０００５】
【図１】かがと位置決めストッパー取り付け位置と靴位置
【図２】運転者足元のブレーキペダル、アクセルペダル、かがと位置、フロアーマットに貼り付けたかかと位置決めストッパーを示した図面  かかと位置決めストッパの取り付けは、フロワーマットに接着又はマジックテープで取り付ける。
【図１】
0003218028.tif 000003
【図２】
0003218028.tif 000004
【手続補正書】
【提出日】平成30年2月13日(2018.2.13)
【手続補正１】
【補正対象書類名】実用新案登録請求の範囲
【補正対象項目名】全文
【補正方法】変更
【補正の内容】
【実用新案登録請求の範囲】
【請求項１】
ブレーキペダルとアクセルペダルを目視では無く直感で踏み分けているので踵の位置がアクセルペダル後方区域にある時に踏み違いが起こるので、踏み違いが起きない区域に踵を置く必要から、ブレーキペダル後方のブレーキ優先区域に踵を置く、無意識のうちに踵がアクセル区域への移動を阻止する障壁として厚みのある板をフロアーマットに取り付けて構成する。
【手続補正書】
【提出日】平成30年4月24日(2018.4.24)
【手続補正１】
【補正対象書類名】実用新案登録請求の範囲
【補正対象項目名】全文
【補正方法】変更
【補正の内容】
【実用新案登録請求の範囲】
【請求項１】
ブレーキペダルとアクセルペダルを目視では無く直感で踏み分けているので踵の位置がアクセルペダル後方区域にある時に踏み違いが起こるので、踏み違いが起きない区域に踵を置く必要から、ブレーキペダル後方のブレーキ優先区域に踵を置く、無意識のうちに踵がアクセル区域への移動を阻止する障壁として厚み２０ｍｍ、縦横寸法１００ｍｍ角の天然ゴムスポンジ板をフロアーマットに貼り付けて構成する。
【手続補正書】
【提出日】平成30年6月26日(2018.6.26)
【手続補正１】
【補正対象書類名】実用新案登録請求の範囲
【補正対象項目名】全文
【補正方法】変更
【補正の内容】
【実用新案登録請求の範囲】
【請求項１】
靴の踵とブレーキペダルの中心線をほぼ一致する位置にすべく、フロアーマット上の前記靴の踵の右側に貼り付けるかがと位置決めストッパーであって，略四角形状のかがと位置決めストッパー。
(57)【要約】      （修正有）【課題】フェイスマスクシートの装着時にフェイスマスクシートの展開方向を容易に把握可能とすることにより、フェイスマスクシートを装着しやすくする装着補助ガイド切欠き付フェイスマスクシートを提供する。【解決手段】本考案はフェイスマスクシート本体１の額部分上部にフェイスマスクシート水平方向の中心位置及び垂直方向を明示する一辺の長さが８ｍｍ以内の逆正三角形の切欠き６を設け、フェイスマスクシートの装着時にフェイスマスクシートの展開方向を容易に把握可能とすることにより、フェイスマスクシートを装着しやすくする。【選択図】図１
0003218055.tif 000002
【実用新案登録請求の範囲】
【請求項１】
化粧用美容液を含侵したフェイスマスクシートの額部分上部にシート水平方向の中心位置及び垂直方向を的確に明示する切欠き部を設けることにより、フェイスマスクシート装着時に使用者が意図した装着位置に装着することを容易に行うことを可能とする装着補助ガイド切欠き付フェイスマスクシート。
【請求項２】
前記切欠き部は一辺の長さが８ｍｍ以内の逆正三角形であることを特徴とする、請求項１記載の装着補助ガイド切欠き付フェイスマスクシート。
【考案の詳細な説明】
【技術分野】
【０００１】  本考案は装着補助ガイド切欠き部を設けた、フェイスマスクシートに関するものである。
【背景技術】
【０００２】  化粧用美容液を含侵したフェイスマスクシート装着時に使用者が意図した装着位置に装着する際、先ず目や鼻及び口に対応する開口部から位置決めをした上でフェイスマスクシート本体の周囲に設けた複数の位置調整用スリットを調整し顔全体にフェイスマスクシートを展開していたため、フェイスマスクシートの装着位置を的確に決定することに煩わしさを伴っていた。
【先行技術文献】
【特許文献】
【０００３】
【特許文献１】特開２０１６−９７３１２号
【特許文献２】特開２０００−２８７７５１号
【考案の概要】
【考案が解決しようとする概要】
【０００４】  化粧用美容液を含侵したフェイスマスクシート装着時に使用者が意図した装着位置に装着する際、先ず目や鼻及び口に対応する開口部から位置決めをした上で顔全体にフェイスマスクシートを展開し、その後フェイスマスクシートの周囲に設けた複数の装着位置調整用スリットを調整していたため、フェイスマスクシートの装着位置を的確に決定することに煩わしさを伴っていた。本考案は装着補助用のガイド切欠き部を設けることにより、フェイスマスクシート装着時の煩わしさを軽減しようとするものである。
【課題を解決するための手段】
【０００５】  フェイスマスクシート装着時に使用者が意図した装着位置に装着することを容易に行うことが可能となるように、フェイスマスクシートの額部分上部にフェイスマスクシート水平方向の中心位置及び垂直方向を的確に明示する装着補助用の逆正三角形の切欠き部を設ける。
【０００６】  図３の２´のように従来のフェイスマスクシートの装着位置調整用スリットではフェイスマスクシート水平方向の中心位置及び垂直方向を的確に明示することはできない。また、図４の２´のように位置調整用スリットの切欠き部を大きく確保した場合、切欠き部分はフェイスマスクシート本体が額を被覆しないため美容液が行き渡らず充分な美容効果を得ることができない。そのためフェイスマスクシート本体が額を被覆する範囲を可能な限り広く確保し、且つフェイスマスクシート水平方向の中心位置及び垂直方向を的確に明示するために、装着補助ガイド切欠き部は一辺の長さが８ｍｍ以内の逆正三角形とする。
【考案の効果】
【０００７】  化粧用美容液を含侵したフェイスマスクシートの額部分上部にフェイスマスクシート水平方向の中心位置及び垂直を明示する装着補助用の逆正三角形の切欠き部を設けたことにより、化粧用美容液を含侵したフェイスマスクシート装着時の位置決めを先ず額部分から行うことが可能となり、さらにフェイスマスクシートの展開方向を把握することが容易となったため、フェイスマスクシートの装着時の煩わしさの軽減に役立つ。
【図面の簡単な説明】
【０００８】
【図１】本装着補助ガイド切欠き付フェイスマスクシートの正面図である。
【図２】従来の一般的なフェイスマスクシートの正面図である。
【図３】フェイスマスクシート水平方向の中心位置及び垂直方向を的確に明示しきれない装着位置調整用スリットが入ったフェイスマスクシートの一例の正面図である。
【図４】装着位置調整用スリットの切欠き部が大き過ぎるため、額部分に美容液が行き渡らず充分な美容効果を得ることができないフェイスマスクシートの一例の正面図である。
【考案を実施するための形態】
【０００９】    フェイスマスクシートの額部分上部にフェイスマスクシート水平方向の中心位置及び垂直方向を明示する切欠き部を設ける。装着補助用の切欠き部分はフェイスマスクシート本体が額を被覆しないため美容液が行き渡らず充分な美容効果を得ることができない。フェイスマスクシート本体が額を被覆する範囲を可能な限り広く確保し、且つフェイスマスクシート水平方向の中心位置及び垂直方向を的確に明示するために、装着補助ガイド切欠き部は一辺の長さが８ｍｍ以内の逆正三角形とする。
【実施例】
【００１０】  以下、添付図１に従って一実施例を説明する。また、従来のフェイスマスクシートとの比較のために図２には従来の一般的な形状のフェイスマスクシートの図面を添付する。
図３はフェイスマスクシート水平方向の中心位置及び垂直方向を的確に明示しきれない装着位置調整用スリットが入ったフェイスマスクシートの一例。図４は装着位置調整用切欠き部が大き過ぎるため、切欠き部分に美容液が行き渡らず充分な美容効果を得ることができない装着位置調整用切欠き部を持つフェイスマスクシートの一例である。
１は化粧用美容液を含侵したフェイスマスクシート本体、２は使用者がそれぞれの顔の大きさや形状に合わせてフェイスマスクシート本体の装着位置を調整するための装着位置調整用スリット、３は目に対応する開口部、４は鼻に対応する開口部、５は口に対応する開口部、６は本考案で額部分上部に設けたフェイスマスクシート水平方向の中心位置及び垂直方向を明示する装着補助用ガイド切欠きである。【００１１】  本考案の一実施例は上記の如き構成からなるものであり、使用者が化粧用美容液を含侵したフェイスマスクシートの装着時に、先ず６の逆正三角形の切欠き部を目印として位置決めをし、その後３、４、５の目や鼻及び口に対応する開口部の位置決めをした上で顔全体にフェイスマスクシートを展開し、その後２のフェイスマスクシートの周囲に設けた複数の装着位置調整用スリットを調整することにより、使用者が意図した装着位置に装着することを容易に行うことが可能となる。
【符号の説明】
【００１２】１  化粧用美容液を含侵したフェイスマスクシート本体
２  装着位置調整用スリット
３  目に対応する開口部
４  鼻に対応する開口部
５  口に対応する開口部
６  装着補助ガイド切欠き
【図１】
0003218055.tif 000003
【図２】
0003218055.tif 000004
【図３】
0003218055.tif 000005
【図４】
0003218055.tif 000006
(57)【要約】【課題】  雨水を溜める貯水槽に関し、ゴミ等の異物混入を防止する貯水槽を提供する。【解決手段】  雨水流入口７と濾過水排出口９とを備えた貯水槽であって、上部に取水・点検口蓋２を備えた貯水槽本体１内に直立固定した仕切り壁３を設けて濾過室Ａと貯水室Ｂの二室に区画し、さらには該仕切り壁３の上方に開口部４を設けて該濾過室Ａと該貯水室Ｂとを連通し、さらに上部該開口部４を囲うように該仕切り壁３の両側に流水路壁６を垂設して流水路を形成し、さらに該流水路の流入口及び流出口付近に濾過装置５を備えて成し、雨水流入口７から該濾過室Ａに流入する雨水を該濾過装置５を介して濾過し該貯水室Ｂに貯留・排出するとともに、ゴミ等の異物は該濾過装置５に付着又は該貯水槽内に沈殿させ、該上部の取水・点検口あるいは底部排水口８から除去できる構造とした。【選択図】図１
0003218053.tif 000002
【実用新案登録請求の範囲】
【請求項１】
雨水流入口と濾過水排出口とを備えた貯水槽であって、上部に取水・点検口蓋を備えた貯水槽本体内に直立固定した仕切り壁を設けて濾過室と貯水室の二室に区画し、さらには該仕切り壁の上方に開口部を設けて該濾過室と該貯水室とを連通し、さらに上部該開口部を囲うように該仕切り壁の両側に流水路壁を垂設して流水路を形成し、さらに該流水路の流入口及び流出口付近に濾過装置を備えて成し、雨水流入口から該濾過室に流入する雨水を該濾過装置を介して濾過し該貯水室に貯留・排出するとともに、ゴミ等の異物は該濾過装置に付着又は該貯水槽内に沈殿させ、該上部の取水・点検口あるいは底部排水口から除去できる構造としたことを特徴とする雨水貯水槽。
【考案の詳細な説明】
【技術分野】
【０００１】  本考案は、雨水を溜める貯水槽に関するものである。
【背景技術】
【０００２】  従来より、雨水利用に於いては、市販品も多く、貯水槽に於いても様々な提案が数多くされている。【０００３】  しかしながら、従来提案は貯水槽内へのゴミ等の異物混入を防ぐという効果が不十分であった。
【先行技術文献】
【特許文献】
【０００４】
【特許文献１】実用新案登録第３１５０８２２号公報
【考案の概要】
【考案が解決しようとする課題】
【０００５】  本考案は、上記従来有する問題点に鑑み、雨水を溜める貯水槽に関し、ゴミ等の異物混入を防止する貯水槽を提供するものである。
【課題を解決するための手段】
【０００６】  雨水流入口７と濾過水排出口９とを備えた貯水槽であって、上部に取水・点検口蓋２を備えた貯水槽本体１内に直立固定した仕切り壁３を設けて濾過室Ａと貯水室Ｂの二室に区画し、さらには該仕切り壁３の上方に開口部４を設けて該濾過室Ａと該貯水室Ｂとを連通し、さらに上部該開口部４を囲うように該仕切り壁３の両側に流水路壁６を垂設して流水路を形成し、さらに該流水路の流入口及び流出口付近に濾過装置５を備えて成し、雨水流入口７から該濾過室Ａに流入する雨水を該濾過装置５を介して濾過し該貯水室Ｂに貯留・排出するとともに、ゴミ等の異物は該濾過装置５に付着又は該貯水槽内に沈殿させ、該上部の取水・点検口あるいは底部排水口８から除去できる構造とした。
【考案の効果】
【０００７】  本考案によれば、雨水が濾過室を通過する際に流水路に設けた二重の濾過装置によりゴミ等の異物を効果的に除去できることから、貯水槽内全体を著しく汚す事が無く、濾過した水を貯水室に貯溜することができる。【０００８】  また、貯水槽本体に備わる、雨水流入口、沈殿物排出口、濾過水排出口、オーバーフロー流出口のそれぞれに外部接続する止水栓を備えてもよく、必要に応じて開閉・調節することで効率的な貯水槽使用が期待できる。
【図面の簡単な説明】
【０００９】
【図１】  本考案による雨水貯水槽の構造を示す断面図である。
【考案を実施するための形態】
【００１０】  以下、本考案の実施の形態について、図面を参照して説明する。
図１に示すように、雨水流入口７と濾過水排出口９とを備えた貯水槽であって、上部に取水・点検口蓋２を備えた貯水槽本体１内に直立固定した仕切り壁３を設けて濾過室Ａと貯水室Ｂの二室に区画し、さらには該仕切り壁３の上方に開口部４を設けて該濾過室Ａと該貯水室Ｂとを連通し、さらに上部該開口部４を囲うように該仕切り壁３の両側に流水路壁６を垂設して流水路を形成し、さらに該流水路の流入口及び流出口付近に濾過装置５を備えて成し、雨水流入口７から該濾過室Ａに流入する雨水を該濾過装置５を介して濾過し該貯水室Ｂに貯留・排出するとともに、ゴミ等の異物は該濾過装置５に付着又は該貯水槽内に沈殿させ、該上部の取水・点検口あるいは底部排水口８から除去できる構造とした。
【符号の説明】
【００１１】  Ａ    沈殿室
Ｂ    貯水室
１    貯水槽本体
２    取水・点検用の蓋
３    仕切り壁
４    開口部
５    濾過装置
６    流水路壁
７    雨水流入口
８    沈殿物排出口
９    濾過水排出口
１０    オーバーフロー流出口
【図１】
0003218053.tif 000003
(57)【要約】      （修正有）【課題】基板に差し込むことによる導電現象を防止し、基板を損害することを避け、ジャンパー抵抗に有効に安全性能を提供させ、製品の耐用寿命を増やし、且つ、ジャンパー抵抗の両側でいくつかの組みひもの並列を行い、マシンにマッチングしてバッチに基板に差込まれ、大幅に生産効率を高め、人力を節約できる絶縁組みひもジャンパーゼロオーム抵抗器を提供する。【解決手段】ジャンパー抵抗１０を含み、ジャンパー抵抗１０の外壁の一方の側に絶縁層１１が包まれ、ジャンパー抵抗１０の両端にそれぞれ組みひも１２を通じていくつかのジャンパー抵抗１０が並列接続され、組みひも１２がペーパーテープであり、両端の組みひも１２に全部組みひも取り外しヘッド１３が設けられ、制作中においてジャンパー抵抗１０について絶縁層１１を包む絶縁組みひもジャンパーゼロオーム抵抗器である。【選択図】図２
0003218056.tif 000002
【実用新案登録請求の範囲】
【請求項１】
ジャンパー抵抗10を含み、前記ジャンパー抵抗10の外壁の一方の側に絶縁層11が包まれ、前記ジャンパー抵抗10の両端にそれぞれ組みひも12を通じて複数のジャンパー抵抗10が並列接続され、前記組みひも12がペーパーテープであり、両端の組みひも12に組みひも取り外しヘッド13が設けられる絶縁組みひもジャンパーゼロオーム抵抗器。
【請求項２】
前記ジャンパー抵抗10は錫めっき銅線であり、前記錫めっき銅線の直径が0.4ｍｍ〜2.5ｍｍである請求項1に記載の絶縁組みひもジャンパーゼロオーム抵抗器。
【請求項３】
前記ジャンパー抵抗10はＵ型を呈することができ、その両端の辺の間隔が5ｍｍ〜100ｍｍである請求項1に記載の絶縁組みひもジャンパーゼロオーム抵抗器。
【請求項４】
前記絶縁層11はテフロン（登録商標）、ポリ塩化ビニル、シリコーンまたはポリエチレンで作られるものである請求項1に記載の絶縁組みひもジャンパーゼロオーム抵抗器。
【考案の詳細な説明】
【技術分野】
【０００１】
本考案は電子部品の分野に関し、詳しくは、特に、一種の絶縁組みひもジャンパーゼロオーム抵抗器に関するものである。
【背景技術】
【０００２】
伝統的なジャンパー抵抗（錫めっき銅線）は成形時に絶縁材料がカバーされず、基板に差込むと、導電し易いため、基板にダメージを与えるばかりではなく、手で抵抗器を基板に差込む必要があり、人工効率が低く、時間を費やすと同時に人力も費やす。
【考案の概要】
【考案が解決しようとする課題】
【０００３】
本考案は、前記欠点について既存技術を改善し、下記に述べられるような技術ソリューションを提供する
【課題を解決するための手段】
【０００４】
絶縁組みひもジャンパーゼロオーム抵抗器であって、ジャンパー抵抗を含み、前記ジャンパー抵抗外壁の一方の側に絶縁層が包まれ、前記ジャンパー抵抗の両端にそれぞれ組みひもを通じていくつかのジャンパー抵抗が並列接続され、前記組みひもがペーパーテープであり、且つ、両端の組みひもに全部組みひも取り外しヘッドが設けられる。
【０００５】
前記ジャンパー抵抗は錫めっき銅線であり、前記錫めっき銅線の直径が0.4ｍｍ〜2.5ｍｍである。
【０００６】
前記ジャンパー抵抗はＵ型を呈することができ、その両端の辺の間隔が5ｍｍ〜100ｍｍである。
【０００７】
前記絶縁層はテフロン（登録商標）、ポリ塩化ビニル、シリコーンまたはポリエチレンで作られるものである。
【０００８】
既存技術と比べれば、本考案の有益な効果は下記の通りである。本考案は制作中において既存ジャンパー抵抗について絶縁層を包むことによって、基板に差し込むことによる導電現象を防止し、基板を損害することを避け、ジャンパー抵抗に有効に安全性能を提供させ、製品の耐用寿命を増やし、ジャンパー抵抗の両側でいくつかの組みひもの並列を行い、マシンにマッチングしてバッチで基板に差込まれ、大幅に生産効率を高め、人力を節約できる。
【０００９】
より詳しく本考案の技術ソリューションを説明するため、次に実施例の記述に使用する必要のある図面について簡単に紹介する。
【図面の簡単な説明】
【００１０】
【図１】本考案の構造図である
【図２】組みひもジャンパー抵抗の半断面図である
【図３】本考案がＵ型を呈しているビューである
【考案を実施するための形態】
【００１１】
以下に図面を参照して、本考案の実施例について詳しく説明する。その詳しい内容は下記の通りである。
【００１２】
本考案実施形態は、絶縁組みひもジャンパーゼロオーム抵抗器であって、ジャンパー抵抗10を含み、ジャンパー抵抗10の外壁の一方の側に絶縁層11が包まれ、ジャンパー抵抗10の両端にそれぞれ組みひも12を通じていくつかの複数のジャンパー抵抗10が並列接続され、組みひも12がペーパーテープであり、両端の組みひも12に組みひも取り外しヘッド13が設けられる。
【００１３】
本考案実施形態において、ジャンパー抵抗10は錫めっき銅線であり、前記錫めっき銅線の直径が2ｍｍである。
【００１４】
本考案において、絶縁層11はテフロン（登録商標）で作られたものである。
【００１５】
伝統的なジャンパー抵抗10の制作時において、その外壁の一方の側に絶縁層11をスプレーしてから、溶接機の既存伝動軸にチェーンと軸ルートを取付ける。組みひも12のコントロールボックスを取付ける。絶縁層11を持った溶接済みのジャンパー抵抗10の両端に組みひも12を加える。組みひも12のコントロールボックスで自動編成抵抗器をコントロールし、使用時に、マシンとマッチングしてバッチに基板に差込む。本考案は制作中において既存ジャンパー抵抗10について絶縁層11を包むことによって、基板に差し込むことによる導電現象を防止し、基板を損害することを避け、ジャンパー抵抗10に有効に安全性能を提供させ、製品の耐用寿命を増やし、ジャンパー抵抗10の両側でいくつかの組みひも12の並列を行い、マシンにマッチングしてバッチに基板に差込まれ、大幅に生産効率を高め、人力を節約できる。
【００１６】
本考案の実施例における技術ソリューションは明確に完全に記述されたが、明らかなように、記述された実施例はただ本考案の一部の実施例のみであり、全部の実施例ではない。本分野の一般技術者が本考案の実施例に基づき、創造的な労働を行わずに獲得するあらゆる他の実施例は、いずれも本考案の保護範囲に属する。
【符号の説明】
【００１７】
10・・・ジャンパー抵抗、11・・・絶縁層、12・・・組みひも、13・・・組みひも取り外しヘッド
【図１】
0003218056.tif 000003
【図２】
0003218056.tif 000004
【図３】
0003218056.tif 000005
【手続補正書】
【提出日】平成30年7月19日(2018.7.19)
【手続補正１】
【補正対象書類名】実用新案登録請求の範囲
【補正対象項目名】請求項４
【補正方法】変更
【補正の内容】
【請求項４】
前記絶縁層11はポリテトラフルオロエチレン、ポリ塩化ビニル、シリコーンまたはポリエチレンで作られるものである請求項1に記載の絶縁組みひもジャンパーゼロオーム抵抗器。
(57)【要約】      （修正有）【課題】透過性のある皿や器の下側から光をあてることでその内部の状態を見て楽しむことが可能になる光源付盛り付け皿を提供する。【解決手段】透過性のある皿または器１の下部に光源６、電源を内包し、それを駆動させるスイッチ３を含む光源部分２を取り付け料理や食材を下側から照らす。【選択図】図２
0003218044.tif 000002
【実用新案登録請求の範囲】
【請求項１】
透過性のある皿または器の下部に内包する光源部分を取り付け、料理や食材を下側から照らすことができることを特徴とする光源付盛り付け皿。
【考案の詳細な説明】
【技術分野】
【０００１】  本考案は、下部に光源を取り付けた透過性のある皿または器に関するものである。
【背景技術】
【０００２】  光透過性の皿は、加熱調理器などに利用されているが、その目的は、耐熱であったり清掃性などである。また透過性のある材料で作られた盛り付け皿はあるが、盛り付けられた料理や食材を下側から照らす皿や器は無かった。
【先行技術文献】
【特許文献】
【０００３】
【特許文献１】特開２０１５−９１３７４
【０００４】
【考案の概要】
【考案が解決しようとする課題】
【０００５】  従来、皿や器に盛り付けられた料理や食材は、自然光や照明器具による明りのもと、その外観を見るだけだった。
【課題を解決するための手段】
【０００６】  本考案は、透過性のある皿または器の下部に光源を取り付け、料理や食材を下側から照らすことである。
【考案の効果】
【０００７】  盛り付けられた料理や食材を皿や器の下側から光をあてることで、その内部を透かして見ることが可能になり、その結果、従来皿の上にある料理や食材の外観のみを見て楽しんでいたものを、その内部の様子も見ることで、多角的に楽しめる演出効果が生まれる。
【図面の簡単な説明】
【０００８】
【図１】皿本体と光源部分を示した平面図である。
【図２】図１のＡ〜Ａ’部分の断面図である。
【図３】光源部分の制御図である。
【考案を実施するための形態】
【０００９】  本考案によれば図２に示すように、透過性のある皿の下方から光をあてることで、皿の上の料理をひきたてることができる。
【実施例】
【００１０】  図を用いて本考案を説明する。
図１で示したものは、皿１の一般的な形状を表したものである。皿１の形、色、模様などはいろいろなものがある。皿１の光を透過させるための材料として、ガラス、合成樹脂、シリコンゴム、草木、陶磁器など多種多様なものが考えられる。点線で示す２は皿１の裏面に取り付けられた光源部分である。
図２は、図１のＡ、Ａ’部分の断面図である。光源部分２は、スイッチ３、ＬＥＤ６と離間した位置からリモコン８によってＬＥＤ６を点灯、消灯させるための受信器７を有している。
スイッチ３は、ＬＥＤ６の光の強弱を段階的に調節できるものである。７は受信器で８はリモコンである。
図３は光源部分２に設けられた回路構成図である。３はＬＥＤ６を駆動するためのスイッチである。なお、この図ではスイッチ３は、２点式で示している。４は電源で電池を使用している。５は電圧を上げる昇圧キットである。受信器７は、リモコン８からの信号を受信する。ＬＥＤ６は、スイッチ３または受信器７からの信号により電気が流れ、昇圧キット５を回して点灯または消灯する。また、リモコン８から受信した受信器７の制御信号９によっても駆動する。
【符号の説明】
【００１１】１  皿本体
２  光源部分
３  スイッチ
４  電源
５  昇圧キット
６  ＬＥＤ
７  受信器
８  リモコン
９  制御信号
【図１】
0003218044.tif 000003
【図２】
0003218044.tif 000004
【図３】
0003218044.tif 000005